(57)【特許請求の範囲】
【請求項１】
外枠(A)に組付けられる前枠(B)に、窓枠(C)と上下の球皿(E,F)および打球発射装置(G)等が装備され、前枠(B)の内部に位置する遊技補助盤(6)に合わせてセットされた遊技盤(D)内でパチンコゲームを展開し得る遊技機において、
前記打球発射装置(G)は、前記前枠(B)の下部前側に着脱可能に装着されて打球操作に必要とされる電気的な操作入力手段(13,14,15)を有する操作ハンドル部(G1)と、第１発射レール(8)が前面に固定され、裏側のピンおよび前記遊技補助盤(6)側の孔(27)を利用して遊技補助盤(6)の前面に位置決めセットされると共に複数のビス(28)を遊技補助盤(6)側の対応するビス孔(29)にネジ込むことにより遊技補助盤(6)の前面に着脱可能に固定される第１支持盤(26)と、前記前枠(B)の下部裏側に着脱可能に装着されて前記第１発射レール(8)の基端に設定される発射位置(T)に臨むパチンコ球を打出す往復回動式の打球杆(20)をロータリーソレノイド(9)で作動し得る第１打球作動部(G2)と、前記前枠(B)の下部裏側に着脱可能に装着されて前記操作ハンドル部(G1)の操作入力手段(13,14,15)の入力条件設定に基いて前記第１打球作動部(G2)のロータリーソレノイド(9)を駆動し得る回路基板(33)を交換可能に内蔵した駆動制御部(G4)とにより構成される一方、
前記第１打球作動部(G2)とは別形態の第２打球作動部(H2)は、第２発射レール(51)が前面に固定される第２支持盤(52)と、該第２支持盤(52)における第２発射レール(51)の基端部側に裏側から設置されて、往復直動式の打球杆(54)を長手方向に挿通支持した直動式ソレノイド(50)とを備えて、該直動式ソレノイド(50)により打球杆(54)を作動して前記第２発射レール(51)の基端に設定される発射位置(T)に臨むパチンコ球を打出すよう構成され、
前記第２支持盤(52)は、前記遊技補助盤(6)に設けられて前記第１支持盤(26)の位置決めおよび固定に用いられる前記孔(27)およびビス孔(29)を利用して、遊技補助盤(6)の前面に、裏側のピンおよびビス(28)により着脱可能に位置決め固定し得るように構成され、
前記遊技補助盤(6)には、前面に前記第２支持盤(52)を固定した際に、該第２支持盤(52)に設置されている前記直動式ソレノイド(50)における第２支持盤(52)裏側に突出している部位を収容する逃し凹座(55)が成形されている
ことを特徴とするパチンコ機。
【請求項２】
前記第２発射レール(51)は、前記第１発射レール(8)より短尺に設定され、前記第１支持盤(26)または第２支持盤(52)を遊技補助盤(6)に固定した際には各発射レール(8,51)の基端部の位置が異なるよう構成され、
前記前枠(B)に横開きおよび着脱可能に装着されて前面に上球皿(E)が組付けセットされる開開板の裏面に、第１打球作動部(G2)用の第１球送り装置(J)または第２打球作動部(H2)用の第２球送り装置(K)が着脱自在にセットされるよう構成され、
前記第１球送り装置(J)は、遊技球用の送通路(64)を画成した１つの第１ケース体(65)に、第１球送りソレノイド(66)と、該第１球送りソレノイド(66)の励磁・消磁によって昇降傾動変化する第１球送り体(67)とが組付けられ、前記第１ケース体(65)を、送通路(64)の入口を上球皿(E)の球出口に合わせて開閉板の裏面にビス止めセットすることで、送通路(64)の出口が、前記遊技補助盤(6)に第１支持盤(26)を固定した際の前記第１発射レール(8)の基端部側に臨むよう構成され、
前記第２球送り装置(K)は、遊技球用の通路(73)が傾斜状態に成形された１つの第２ケース体(69)に、第２球送りソレノイド(70)と、該第２球送りソレノイド(70)の励磁・消磁によって昇降傾動変化する第２球送り体(72)とが組付けられ、前記第２ケース体(69)を、通路(73)の入口となる球受け口(74)を上球皿(E)の球出口に合わせて開閉板の裏面にビス止めセットすることで、通路(73)の出口となる球送り口(75)が、前記遊技補助盤(6)に第２支持盤(52)を固定した際の前記第１発射レール(8)の基端部とは位置が異なる前記第２発射レール(51)の基端部側に臨むよう構成される請求項１記載のパチンコ機。
【請求項３】
前記第１打球作動部(G2)は、金属製の第１保持盤(19)の前側に、前記ロータリーソレノイド(9)が設置され、このソレノイド(9)の回動軸(9a)の後端に往復回動式の前記打球杆(20)が連結され、前記遊技補助盤(6)より下側の前枠(B)における設置盤(5)裏側に前記第１保持盤(19)を当て合わせて複数のビス(21)を介して着脱可能に固定し得ると共に、
前記第１保持盤(19)の裏側にビス着された第１保持台(25)に、第１打球作動部(G2)に対応する第１回路基板(33)を収容した第１ケース(32)がセットされるよう構成され、
前記第１保持盤(19)と形状・サイズが同一の合成樹脂製の第２保持盤(60)の裏側に、第２保持台(62)がビス着されると共に、該第２保持台(62)に第２打球作動部(H2)に対応する第２回路基板(63)を収容した第２ケース(61)がセットされ、前記第２保持盤(60)は、前記設置盤(5)裏側に着脱可能に固定し得るよう構成され、
前記設置盤(5)には、前記第１保持盤(19)を設置盤(5)裏側に固定した際に、前記ロータリーソレノイド(9)を収容するセット口(22)が形成される請求項１または２記載のパチンコ機。
【発明の詳細な説明】
【０００１】
【発明の属する技術分野】
この発明は、遊技媒体および賞球媒体に同一のパチンコ球を使用して所要のゲームを行ない得るパチンコ機において、所要の発射部位に１球ずつ送込まれたパチンコ球(遊技球)を、電動源で作動される打球杆により遊技盤内に打出すようにしたパチンコ機に関するものである。
【０００２】
【従来の技術】
パチンコ機に代表されるこの種の遊技機では、その基本的な構成として外枠の開口前面側に対して開閉および着脱が可能に組付けられる前枠の前後各部分に、窓枠、球送り装置、打球発射装置、裏側の機構セット盤そして上下の球皿等の基本共通遊技部材が設置されると共に、所要ゲーム内容の遊技盤がセットされて、１台単位で構成されている。そしてゲームホール内での実施にあたっては、通称「島」とも呼ばれている設置枠台に所要の後傾起立状態で固定保持された外枠に対して、前枠全体が組付けセットされて、縦型弾球遊技機として遊技に供されている。このもとで球送り打球遊技操作を開始することにより、上球皿内の遊技球を１球ずつ発射位置から遊技盤面内に打込んで所要のゲームを行ない、そしてゲーム中の入賞(セーフ球)に対して機構セット盤側から払出された賞品球を上球皿側に受入れ、充満以後は下球皿側に収容(貯留)し得るようになっている。
【０００３】
前記パチンコ機に実施されている打球発射装置は、操作ハンドルの操作に基いて作動される打球作動部の構成面から区分される形態として、
(ａ) モータ駆動式：打球作動部の駆動モータの回転に対して別位置に支持された打球杆が往復回動されて遊技球を打出す形式、
(ｂ) ロータリーソレノイド駆動式：打球作動部の駆動ロータリーソレノイドの励磁回動に対して同ソレノイド内の回動軸に連結された打球杆が往復回動されて、遊技球を打出す形式、
(ｃ) 直線往復動型ソレノイド駆動式：打球作動部の直線型電磁ソレノイドのパルス駆動に対して同ソレノイド内に配設されたプランジャ式の打球杆が一定範囲を直線往復動されて、遊技球を打出す形式がある。
そして何れの装置にあっても、前枠前側の操作ハンドル部での遊技操作(打球操作)において、前枠裏側の打球作動部の打球杆が、所定の発射角で設置された発射レールの発射位置に１球ずつ送込まれた遊技球を当打して発射レール上を発射させ、そして遊技盤の案内レールに沿って飛翔させながら盤内に打込むようになっている。
【０００４】
【発明が解決しようとする課題】
前記パチンコ機では、形態の異なる各種打球作動部(打球発射装置)が配設される前枠は共通化されておらず、打球作動部(打球発射装置)の仕様変更に際しては、前枠を新たに設計・製作する必要を生じ、コストが嵩む原因となっている。また、前枠の種別保管においては、不便で煩わしさを伴う難点が指摘される。
【０００５】
【発明の目的】
本発明は、前述した課題を解決するベく新規に提案されたものであって、形態の異なる打球作動部を、前枠の設計変更を行なうことなく装備可能として、製造コストを低減し得ると共に、部品の保管管理を容易化し得るようにしたパチンコ機を提供することを目的とする。
【０００６】
【課題を解決するための手段】
前述した課題を解決し、所期の目的を達成するため、本発明に係るパチンコ機は、
外枠に組付けられる前枠に、窓枠と上下の球皿および打球発射装置等が装備され、前枠の内部に位置する遊技補助盤に合わせてセットされた遊技盤内でパチンコゲームを展開し得る遊技機において、
前記打球発射装置は、前記前枠の下部前側に着脱可能に装着されて打球操作に必要とされる電気的な操作入力手段を有する操作ハンドル部と、第１発射レールが前面に固定され、裏側のピンおよび前記遊技補助盤側の孔を利用して遊技補助盤の前面に位置決めセットされると共に複数のビスを遊技補助盤側の対応するビス孔にネジ込むことにより遊技補助盤の前面に着脱可能に固定される第１支持盤と、前記前枠の下部裏側に着脱可能に装着されて前記第１発射レールの基端に設定される発射位置に臨むパチンコ球を打出す往復回動式の打球杆をロータリーソレノイドで作動し得る第１打球作動部と、前記前枠の下部裏側に着脱可能に装着されて前記操作ハンドル部の操作入力手段の入力条件設定に基いて前記第１打球作動部のロータリーソレノイドを駆動し得る回路基板を交換可能に内蔵した駆動制御部とにより構成される一方、
前記第１打球作動部とは別形態の第２打球作動部は、第２発射レールが前面に固定される第２支持盤と、該第２支持盤における第２発射レールの基端部側に裏側から設置されて、往復直動式の打球杆を長手方向に挿通支持した直動式ソレノイドとを備えて、該直動式ソレノイドにより打球杆を作動して前記第２発射レールの基端に設定される発射位置に臨むパチンコ球を打出すよう構成され、
前記第２支持盤は、前記遊技補助盤に設けられて前記第１支持盤の位置決めおよび固定に用いられる前記孔およびビス孔を利用して、遊技補助盤の前面に、裏側のピンおよびビスにより着脱可能に位置決め固定し得るように構成され、
前記遊技補助盤には、前面に前記第２支持盤を固定した際に、該第２支持盤に設置されている前記直動式ソレノイドにおける第２支持盤裏側に突出している部位を収容する逃し凹座が成形されていることを特徴とする。
【０００７】
【作用】
前枠の下部前側に装着された操作ハンドル部における操作入力手段の入力条件設定に基いて、駆動制御部により打球作動部の電動源が駆動されて、前枠の下部裏側に装着された打球杆が往復回動することで、発射位置に臨むパチンコ球が遊技盤内に打出されて所要のパチンコゲームが展開される。仕様変更により打球発射装置の種別を変える場合は、前枠を変更することなく、往復回動式の打球杆および電動源を、往復直動式の打球杆および電動源に交換することで仕様変更に対応し得る。
【０００８】
【発明の実施の形態】
次に、本発明に係るパチンコ機につき、好適な実施例を挙げて、添付図面を参照しながら、以下詳細に説明する。なお実施例では、前枠の正面内部にパチンコ球(遊技球)用の遊技盤がセットされた一般的なパチンコ機を主に示す。
【０００９】
(パチンコ機の全体構成について)
本実施例のパチンコ機Ｐは、その基本的構成の概要として、図１および図２に略示するように、外郭用の固定機枠をなす縦長矩形状の外枠Ａの開口前面側に、各種の遊技用構成部材を搭載セットする搭載用の開閉機枠をなす縦長方形の前枠Ｂが、正面左側の連結手段により着脱および開閉可能に組付け支持されると共に、正面右側の施錠手段により閉鎖状態に保持される。この前枠Ｂの前面側に、遊技盤Ｄの透視保護窓である窓枠Ｃと、上球皿Ｅとが、横開き形態で開閉可能に組付け整合される。また、前枠Ｂの下部に下球皿Ｆおよび第１打球発射装置Ｇまたは第２打球発射装置Ｈ等が装着セットされ、更に前枠Ｂの裏側に各種の球経路および球処理・払出部等を備えた機構セット盤Ｉがセットされ、これにより一台のパチンコ機Ｐが形成される。
【００１０】
前記前枠Ｂでは、全体が合成樹脂成形されたタイプにおいて、内側に窓枠口１を開口した枠体２と、この枠体２の裏側に一体成形されて窓枠口１の正面内部に臨む遊技盤用のセット口３を開口した保持枠４とが、前後に連設された内外二重枠形態とされている(図３参照)。そして枠体２においては、窓枠口１の下部に下球皿Ｆおよび第１,第２打球発射装置Ｇ,Ｈの一部等を設置するための設置盤５が成形され、一方保持枠４においては、窓枠口１の下部内側に位置する遊技補助盤６が一体成形されており、この補助盤６の上端縁を基準にしてセット口３が開口されて、遊技盤Ｄを着脱可能に収容セットし得るようになっている。ちなみに前枠Ｂは、枠体２で構成されるタイプのものとして、窓枠口１の裏側に別成形された保持枠４を整合固定するものであってもよい。
【００１１】
前記上球皿Ｅでは、複数の皿構成部材を組合わせてユニット化され、前枠Ｂにおける枠体２の左端側に横開きおよび着脱可能に装着される１枚の開閉板前面に組付けセットされており、そして開閉板の裏面には後述する第１球送り装置Ｊまたは第２球送り装置Ｋがセットされる。一方前記下球皿Ｆでは、前枠Ｂにおける枠体２の設置盤５全面に取着される１枚のセット支板と複数の皿構成部材とを組合わせてユニット化されており、そして右側部に、第１打球発射装置Ｇの第１操作ハンドル部Ｇ1または第２打球発射装置Ｈの第２操作ハンドル部Ｈ1を組付けセットするための装着部７が成形されている(図５,図９参照)。ちなみに、双方の球皿Ｅ,Ｆは共に図示外郭形状に構成されて、下球皿Ｆの水平上面に上球皿Ｅが整合状態で載置保持されるようになっている。
【００１２】
(ロータリー式の第１打球発射装置について)
図３〜図５は、パチンコ機Ｐにロータリー式の第１打球発射装置Ｇを装備した状態を示す。前記前枠Ｂの右下部に装備される第１打球発射装置Ｇは、打球操作に基いて上球皿Ｅから第１球送り装置Ｊを介して後述の第１発射レール８に送込まれた遊技球を打出すロータリーソレノイド駆動形態のものであって、図５に示すように基本的な構成として、球円筒形グリップ状にユニット化された第１操作ハンドル部Ｇ1と、この第１操作ハンドル部Ｇ1での操作入力条件に基いてロータリーソレノイド９が駆動されて打球動作を行なう第１打球作動部Ｇ2および第１発射部Ｇ3と、該作動部Ｇ2裏側にセットされた第１駆動制御部Ｇ4等を備えており、そして第１操作ハンドル部Ｇ1が下球皿Ｆの右側(前枠Ｂの下部前側)に、また第１打球作動部Ｇ2が前枠Ｂの前記設置盤５の裏側(前枠Ｂの下部裏側)に、夫々組付けセットされて接続されている。
【００１３】
前記第１操作ハンドル部Ｇ1では、固定基体をなす把持体１０と略半球形の把持キャップ１１との間にリング形の操作レバー１２を組付けてユニット化されており、そして前記下球皿Ｆの装着部７に対しては、該装着部７に設けた保持筒７ａ内に把持体１０の筒部を嵌挿してビスを介して着脱可能に固定していることにより、第１操作ハンドル部Ｆ1全体が所定角度の斜状にセットされて下球皿Ｆと一体化されている(図５参照)。また電気的な操作入力用手段として、把持体１０内にロータリーソレノイド９に対する可変抵抗器(ボリュームスイッチともいう)１３およびスイッチ１４が組込まれると共に、把持体１０の外周に金属製のタッチ感知環１５が取着されており、これらの部材１３,１４,１５は把持体１０の筒部内に組込み固定された６極円筒形の集合コネクタ１６に個々の配線を介して集約的に接続されて、同コネクタ１６に嵌合接続された中継コネクタ１７および配線を介して裏側の第１駆動制御部Ｇ4に接続されるようになっている。なお、操作レバー１２の回動操作量に応じて可変抵抗器１３がボリューム調整され、一方スイッチ１４は、球の連続発射と単発発射に応じて操作レバー１２の回動操作状態で検出(ＯＮ)とされ、このもとで把持体１０の外側から操作し得る操作片１８を利用して非検出(ＯＦＦ)にされるようになっている。
【００１４】
これに対して前記第１打球作動部Ｇ2については、図５に示すように、同作動部Ｇ2のセットベースとなる金属成形製の第１保持盤１９の前側に、パルス制御される電動源としての前記ロータリーソレノイド９が設置され、このソレノイド９の回動軸９ａの後端に往復回動式の第１打球杆２０が連結されて、全体が第１保持盤１９単位で構成されている。そしてこの第１打球作動部Ｇ2は、前記設置盤５裏側の設置座部に第１保持盤１９を当て合わせて複数のビス２１を介して着脱可能に固定することにより、ロータリーソレノイド９が設置盤５に設けたセット口２２内に収容される(図３参照)。このもとでロータリーソレノイド９のパルス通電励磁毎に第１打球杆２０が、打球始端から打球終端の範囲を回動変移して第１発射レール８の発射位置Ｔの遊技球を打出し得るようになっている。なお、第１保持盤１９の裏側において、第１打球杆２０の打球始端と打球終端との各位置を調整するための手段として、図４に示す如く、偏心円形を利用した回動調整形式の始端側のストッパ２４と、可動保持具を利用したスライド調整形式の終端側のストッパ２３とが配置されており、また第１駆動制御部Ｇ4の第１ケース３２(後述)をセットするための合成樹脂成形製の第１保持台２５がビス着されている。
【００１５】
前記第１発射部Ｇ3では、図３に示す如く、第１発射レール８のセットべースである合成樹脂成形の第１支持盤２６の前面に、所定長の第１発射レール８が固定されている。第１支持盤２６については、外周の補強リブ２６ａで全体が強化された１枚のセット板であって、その裏側のピン(図示せず)と遊技補助盤６側の孔２７を利用して位置決めセットされて複数のビス２８を対応するビス孔２９にネジ込むことにより着脱可能に固定されるようになっており、第１発射レール８の下端部に合わせた上部対向位置に成形された球止め片３０により、第１発射レール８基端に遊技球用の発射位置Ｔが設定されている。なお、第１支持盤２６を位置決め固定するために遊技補助盤６に形成される複数の孔２７およびビス孔２９は、後述する直動式の第２打球発射装置Ｈにおける第２発射部Ｈ3の第２支持盤５２の取付けにも共通して使用し得るよう構成される。また、第１支持盤２６における第１発射レール８の上端部(図３では左端部)にファール球用の球受け片３１が成形されている。一方第１発射レール８については、断面Ｍ字形で曲率半径の大きい円弧に基いて成形されており、そして設定発射角(水平線に対する第１発射レール８の下端点と上端点とを結んだ直線の傾斜角度)で位置決めセットされてビス固定してある。すなわち第１発射部Ｇ3は、１枚の第１支持盤２６に構成・装備されて１つのセット化部材として容易に取扱い,使用し得るようになっている。
【００１６】
また前記第１駆動制御部Ｇ4については、前述のロータリーソレノイド９および各電気的部品１３,１４,１５並びに第１球送り装置Ｊの第１球送りソレノイド６６(後述)の総括的な入出力制御をなすもので、図４および図５に示すように、合成樹脂成形製の第１ケース３２内に所要の回路を備えた第１回路基板３３が交換可能に内蔵されており、この第１ケース３２が前記第１保持盤１９裏側の第１保持台２５に着脱可能にセットされている。そして第１回路基板３３に配置された図示５個の接続具３４,３５,３６,３７,３８を利用して図４中右側から順に、電源(ＡＣ２４Ｖ)、第１球送りソレノイド６６、ロータリーソレノイド９、可変抵抗器１３、スイッチ１４およびタッチ感知環１５が、夫々の配線を介して接続される。但し、可変抵抗器１３用とスイッチ１４およびタッチ感知環１５用の接続具３７,３８に接続される配線(各系統毎に３本)は、その全線の一端が１つの前記中継コネクタ１７に集約的に接続されている。
【００１７】
なお前記第１ケース３２は、第１回路基板３３を直接収容保持する方形皿状の受け盤３９と、第１回路基板３３を覆蓋保護する箱形状のカバー４０とをビス等により組付け整合しており(図６参照)、そして前記第１保持台２５に成形された係止爪４１と下部両側の軸部４２に対して、受け盤３９の裏側に成形された上部の係止軸部４３と、下部両側の軸支部４４を夫々係合してセットされている。また前記第１回路基板３３には、図示しないが、電源回路、球送りソレノイド用の駆動回路、ロータリーソレノイド用の駆動回路、ボリューム調整用回路、スイッチ用およびタッチ用の回路部が夫々構成されている。なお、ロータリーソレノイド用の駆動回路としては、定電圧を利用するチョッパー駆動方式が好適に用いられるが、定電流を利用する駆動方式でも可能である。更に、ロータリーソレノイド９の励磁力とタッチ感知環１５の接触感度とを、各々強弱調整するための回動式の調整具４５,４６が付設されている。
【００１８】
(直動式の第２打球発射装置について)
図７〜図９は、実施例のパチンコ機Ｐに、前述したロータリー式の第１打球発射装置Ｇとは別形態に構成された直動式の第２打球発射装置Ｈを装備した状態を示す。この第２打球発射装置Ｈは、駆動源に直線往復動式の電動源としての電磁ソレノイド(以後、「直動式ソレノイド」という)５０を有する形態で、打球操作に基いて上球皿Ｅから後述する第２球送り装置Ｋを介して第２発射レール５１(後述)基端の発射位置Ｔに送込まれた遊技球を１球ずつ打出すようになっており、基本的な構成として図９に示すように、球円筒形グリップ状にユニット構成されて下球皿Ｆの装着部７に組付けセットされた第２操作ハンドル部Ｈ1と、前枠Ｂ側の遊技補助盤６前面に着脱可能に装着セットされて第２操作ハンドル部Ｈ1での打球操作における入力条件に基いて直動式ソレノイド５０の駆動による直線の打球動作を行なう第２打球作動部(第１打球作動部Ｇ2とは別形態に構成された別の打球作動部)Ｈ2および第２発射部Ｈ3と、前枠Ｂの設置盤５裏側に着脱可能にセットされて第２打球作動部Ｈ2を駆動制御する第２駆動制御部Ｈ4等を備えている。
【００１９】
前記第２操作ハンドル部Ｈ1の基本構成は、前記第１打球発射装置Ｇの第１操作ハンドル部Ｇ1と同一であって、電気的な操作入力用手段としての可変抵抗器１３とスイッチ１４およびタッチ感知環１５等を備えている。なお、第２操作ハンドル部Ｈ1については、基本構成が第１操作ハンドル部Ｇ1と同一であるので共通化が可能であり、第１打球発射装置Ｇと第２打球発射装置Ｈとでは同一の操作ハンドル部を用いることができる。
【００２０】
前記第２打球作動部Ｈ2では、第２発射部Ｈ3と併合された形態を例示し、第２発射レール５１のセットベースでもある合成樹脂成形の第２支持盤５２に駆動源用の直動式ソレノイド５０が設置されている。具体的には、図７,図８および図９に示すように、前枠Ｂ側の遊技補助盤６の右側前面に対して前側から着脱可能に位置決めセットされる第２支持盤５２の右側に成形された収容箱部５３内に、直動式ソレノイド５０が横長傾斜状態で収容保護されてビス固定されており、このソレノイド５０の長手方向にプランジャ形式で往復直動式の第２打球杆５４が、設定された打出し角(水平線に対する第２打球杆５４の軸中心の傾斜角度)で挿通支持されている。そして直動式ソレノイド５０のパルス通電励磁毎に始端から終端の設定ストロークを直線往復動して、発射位置Ｔに送込まれて停止している遊技球を打出し得るようになっている。また遊技補助盤６の前面に、直動式ソレノイド５０に対する設置部としての逃し凹座５５が成形されている(図８および図９参照)。なお、第２打球杆５４の先端には、一般に最適とされているコイルバネからなる打球片５６が配設され、遊技球を弾性的に当打し得るようになっている。
【００２１】
これに対して前記第２発射部Ｈ3では、前述した第２支持盤５２の左側前面に、前述した第１打球発射装置Ｇの第１発射レール８に対して短尺な第２発射レール５１が固定されている。第２支持盤５２については、外周の補強リブ５２ａで全体が強化された１枚のセット板であって、その裏側のピン(図示せず)と遊技補助盤６側の前記孔２７を利用して位置決めセットされて、複数のビス２８を対応するビス孔２９にネジ込むことにより着脱可能に固定される(図７参照)。そして、第２発射レール５１の下端部に合わせた上部対向位置に成形された球止め片５７により、第２発射レール５１基端に遊技球用の発射位置Ｔが設定されている。また、第２支持盤５２における第２発射レール５１の上端部(図７では左端部)にファール球用の球受け片５８が成形されている。一方第２発射レール５１については、断面Ｍ字形で曲率半径の大きい円弧に基いて成形されており、そして設定発射角(水平線に対する第２発射レール５１の下端点と上端点とを結んだ直線の傾斜角度)で位置決めセットされてビス固定されている。また、第２支持盤５２の発射位置Ｔの略中央部分の前面に、第２打球杆５４前端の前出端位置の整合基準となる印５９が付されている(図７参照)。
【００２２】
前述のように第２打球作動部Ｈ2と第２発射部Ｈ3とは、１枚の第２支持盤５２に構成・装備されて１つのセット化部材として容易に取扱い,使用し得るようになっている。また、第２打球杆５４の打球片５６の前端を前記印５９に合わせて、直動式ソレノイド５０の組付けの位置決め、第２打球杆５４のストロークの設定に係る整合性を目視確認し得るよう構成してある。
【００２３】
一方前記第２駆動制御部Ｈ4では、前述した球送り・発射に係る各々の電気的部品の総括的な入出力制御をなすもので、前記第１打球発射装置Ｇにおける第１打球作動部Ｇ2の第１保持盤１９と、形状・サイズが同一の第２保持盤６０の裏側に、当該第２駆動制御部Ｈ4の第２ケース６１をセットするための合成樹脂製の第２保持台６２がビス着されている。そして、この第２保持台６２に対して第２ケース６１は、前述した第１保持台２５と第１ケース３２の場合と同様に、対応個所に設けられた係止爪４１,軸部４２,係止軸４３,軸支部４４により着脱可能に装備されて開蓋可能に構成される。この第２ケース６１内には、図示しないが、直動式の第２打球発射装置Ｈに必要な回路、すなわち電源回路、球送りソレノイド用の駆動回路、直動式ソレノイド用の駆動回路、ボリューム調整用回路、スイッチ用およびタッチ用の回路部を夫々構成した第２回路基板６３が内蔵されている。なお、直動式ソレノイド用の駆動回路としては、定電流を利用する駆動方式が好適に用いられる。そして、第２回路基板６３に配置された５個の接続具を利用して、電源(ＡＣ２４Ｖ)、直動式ソレノイド５０、前記第２球送りソレノイド７０、第２操作ハンドル部Ｈ1内の可変抵抗器１３、スイッチ１４およびタッチ感知環１５が、夫々の配線等を介して接続される。但し、第１駆動制御部Ｇ4の場合と同様に、前記中継コネクタ１７に接続された配線は、可変抵抗器１３用の３本と、スイッチ１４およびタッチ感知環１５用の３本とに区分されて、当該の接続具に接続されるようになっている。
【００２４】
また第２回路基板６３には、タッチ感度と球飛び励磁力を調整するための調整具が付設されている。ちなみに、前記第２ケース６１は、第１ケース３２と同様に、受け盤とカバーをビスで組付けた形態で、第２保持台６２とセット化されている。すなわち、第２駆動制御部Ｈ4における第２保持盤６０、第２ケース６１および第２保持台６２は、その基本構成が第１保持盤１９、第１ケース３２および第２保持台２５と同じであり、部品の共通化が可能であって、内蔵する回路基盤のみを交換することでロータリー式および直動式の打球発射装置に対応し得る。なお、第２打球発射装置Ｈでは、第２保持盤６０に重量のあるロータリーソレノイド９および第１打球杆２０を装備する必要はないので、該保持盤６０を合成樹脂製として軽量化を図ることができる。
【００２５】
(第１打球発射装置に用いられる第１球送り装置について)
前述した第１打球発射装置Ｇがパチンコ機Ｐに装備される際に用いられる第１球送り装置Ｊは、第１打球発射装置Ｇ側の打球作動とタイミングを合わせて球送り作動を行ない得る電動制御形態のものであって、図１０および図１１に示す如く、遊技球用の送通路６４を画成した１つの第１ケース体６５に、磁力集中作用部としての磁着部６６ａを有する第１球送りソレノイド(電磁ソレノイド)６６と、磁着部６６ａに対する磁性片６７ａを設けて支軸６８で支持された昇降傾動式の第１球送り体６７が組付けられて、全体がカセット形式に構成・取扱い得るようになっている。そして上球皿Ｅの開閉板の裏面において、ケース体６５がその送通路６４の入口を上球皿Ｅの球出口(図示せず)に合わせてビス止めセットされ、送通路６４の出口を前記第１発射レール８の基部側に臨ませている。この装置Ｊの球送り作動として、前記第１操作ハンドル部Ｇ1での検出入力条件(スイッチ１４およびタッチ感知環１５の検出条件)に基づいて、第１駆動制御部Ｇ4でのパルス制御により設定時間毎に励磁・消磁されるもとで、その磁着部６６ａと磁性片６７ａとの間の磁着力作用条件に応じて、第１球送り体６７が昇降傾動変化して球出口から送通路６４に通入した遊技球に対する受入れ・送出しを行ない、１球ずつ第１発射レール８側へ送出し得るようになっている。
【００２６】
(第２打球発射装置に用いられる第２球送り装置について)
前述した第２打球発射装置Ｈがパチンコ機Ｐに装備される際に用いられる第２球送り装置Ｋは、第２打球発射装置Ｈの打球作動とタイミングを合わせて球送り作動を行ない得る電動制御形態の例にあって、図１２および図１３に示す如く、合成樹脂成形された１つの第２ケース体６９に、磁力集中作用部としての磁着部７０ａを有する第２球送りソレノイド(電磁ソレノイド)７０と、磁着部７０ａに対する磁性片７２ａを設けて支軸７１で支持された昇降回動レバー形式の第２球送り体７２とを組付けて、全体がカセット形式に構成されて取扱い得るようになっている。前記第２ケース体６９は、その中央部に１つの所要長さの通路７３を傾斜状態に成形して、入口となる前側開口域を球受け口７４、出口となる後側開口域を球送り口７５として構成され、該第２ケース体６９が、上球皿Ｅの球出口に球受け口７４を合わせて着脱可能にビス止めセットされて、球出口を通路７３を介して第２発射部Ｈ3の発射位置Ｔ側に連絡し得るよう構成される。この装置Ｋの球送り作動として、前記第２操作ハンドル部Ｈ1での検出入力条件(スイッチ１４およびタッチ感知環１５の検出条件)に基づいて、第２球送りソレノイド７０が前記第２駆動制御部Ｈ4でのパルス制御により設定時間毎に励磁・消磁されるもとで、その磁着部７０ａと磁性片７２ａとの間の磁着力作用条件に応じて、第２球送り体７２が昇降傾動変化して球出口から球受け口７４に通入した遊技球に対する受入れおよび通路７３への送出しを行ない、球送り口７５を介して１球ずつ第２発射レール５１の発射位置Ｔに送出し得るようになっている。
【００２７】
【実施例の作用】
前述のように構成された本実施例のパチンコ機Ｐは、外枠Ａに対する前枠Ｂに、窓枠Ｃ、遊技盤Ｄ、機構セット盤Ｉの他に前述した上下の球皿Ｅ,Ｆおよびロータリー式の第１打球発射装置Ｇが装備・セットされて１台単位に構成される。そしてゲームホール内の設置枠台に所定の傾き起立姿勢で設置された外枠Ａに、前枠Ｂ全体が組付けられることにより、在来のパチンコ機と同様な縦型弾球遊技機として遊技に供し得る。このもとで通常の打球発射操作を行なうことにより、上球皿Ｅ内の遊技球を第１球送り装置Ｊにより１球ずつ第１発射レール８に送込み、第１打球発射装置Ｇのロータリーソレノイド９の駆動に従動する第１打球杆２０で打出して、遊技盤Ｄ内で所要のパチンコゲームを展開し得る。そして、このゲーム中に発生したセーフ球に対して機構セット盤Ｉの賞球排出装置から払出された賞品球が、上球皿Ｅ側へ優先的に排出されて皿部内に収容され、また上球皿Ｅ側の充満以後には下球皿Ｆ側へ排出されて皿部内に貯留される。
【００２８】
そこでこのようなパチンコ機Ｐにあって、前枠Ｂに対する第１打球発射装置Ｇの組付け並びに実施状況等について説明する。
【００２９】
前述のように構成された第１打球発射装置Ｇについては、ともにユニット化区分された主体部Ｇ1,Ｇ2,Ｇ3,Ｇ4が、夫々の設置部に別々に設置されることになる。そこでまず第１操作ハンドル部Ｇ1では、下球皿Ｆにおける装着部７の保持筒７ａに対し、把持体１０の筒部を嵌挿して連結固定する。これにより、前記集合コネクタ１６が中継コネクタ１７と嵌込み接続されたもとで、同操作部Ｇ1が下球皿Ｆの右側斜状部の前面から平面外向き斜状に突設されて、遊技者の右手で長く楽に把持操作し得る状態位置にセットされる(図５参照)。
【００３０】
一方第１打球作動部Ｇ2では、その第１保持盤１９裏側に第１駆動制御部Ｇ4を装備セットしたまま、前枠Ｂの設置盤５裏面の設置座部に、第１保持盤１９を当て合わせてロータリーソレノイド９をセット口２２内に収容したもとで、ビス止めにより固定される。そして第１駆動制御部Ｇ4の第１回路基板３３に対して、電源(ＡＣ２４Ｖ)、前記第１球送り装置Ｊの第１球送りソレノイド６６、ロータリーソレノイド９が、当該の接続具３４,３５,３６に配線を介して接続される一方、前記第１操作ハンドル部Ｇ1内の可変抵抗器１３とスイッチ１４およびタッチ感知環１５が、中継用のコネクタ１６,１７で連絡されたもとで、配線を介して各々の接続具３７,３８に接続される。
【００３１】
また第１発射部Ｇ3では、その第１支持盤２６前面に第１発射レール８を装備セットしたまま、前枠Ｂの遊技補助盤６前面の設置部に、第１支持盤２６をピンと孔２７とを利用して位置決めセットしたもとで、複数のビス２８により固定される。
【００３２】
なお前述の第１操作ハンドル部Ｇ1については、予め前記装着部７に連結セットされて互いのコネクタ１６,１７が接続され、下球皿Ｆと一体的に取扱い得る形態とされる場合もある。従ってこの形態において同操作部Ｇ1は、下球皿Ｆが設置盤５前面に固定セットされた時点で、該下球皿Ｆの右側斜状部の前方に、操作が容易とされた平面外向き斜状に突設セットされることになる。また前述の第１駆動制御部Ｇ4については、第１回路基板３３を内蔵セットした第１ケース３２単位のもとで、設置後の第１打球作動部Ｇ2の第１保持盤１９裏側における第１保持台２５に対して、係止爪４１,軸部４２,係止軸４３,軸支部４４を利用して後付けセットすることもできる。
【００３３】
このように装備された第１打球発射装置Ｇでは、遊技者による打球発射操作として、第１操作ハンドル部Ｇ1のタッチ感知環１５の把持(接触)並びに操作レバー１２の回動により、第１駆動制御部Ｇ4でのパルス出力制御に基いて、前記第１球送り装置Ｊと適宜タイミングで作動される。すなわち図１４に略示するように、タッチ感知環１５のタッチ検出条件と、操作レバー１２から解放された操作片１８の突出復帰によるスイッチ１４の検出条件が、第１駆動制御部Ｇ4の第１回路基板３３の各部に入力されることに基いて、同基板３３のパルス出力部から出力される第１パルスＰ１により、まず第１球送り装置Ｊの第１球送りソレノイド６６が１球分単位で励磁作動されて第１球送り体６７を作動させる。一方前述の２つの検出条件に加えて、操作レバー１２の操作量に応じた可変抵抗器１３のボリューム調整条件が第１回路基板３３に入力されることに基いて、パルス出力部から出力される第２パルス(１サイクル(Ｓ)毎のデューティ比調整されたパルス)Ｐ２により、第１打球作動部Ｇ2のロータリーソレノイド９が１球分単位で励磁駆動されて第１打球杆２０を作動させる。
【００３４】
この結果、前述した１球毎における球送り作動により遊技球が第１発射レール８の発射位置Ｔに送込まれて着座し、これにタイミングを合わせた打球作動により同遊技球が打出されて遊技盤Ｄ内に打込まれる。以降は同様な球送り・打球作動に基いて、遊技球を定時連続的に打出してパチンコゲームが継続されるものである。但し、前述の第１駆動制御部Ｇ4でのパルス出力制御については、球送り作動に係る第１パルスＰ１と、これに適宜タイミング(時間差)を合わせた打球作動に係る第２パルスＰ２とを合わせて、１球分単位毎の基本１サイクルＳとして制御設定されている。このパルス設定に基いて、１球毎の球送り・打球作動が確動安定化され、また前記操作レバー１２が回動操作保持されているもとで、適時操作片１８を介してスイッチ１４をＯＮ・ＯＦＦ条件に切換えることにより、この切換え条件に合わせた球送り・打球作動に基いて、遊技球を単発的に打出すことができるようになっている。なお第１回路基板３３の調整具４５の調整操作においては、同具４５の可変抵抗器のボリューム調整に基いて定数的変化を伴い、デューティ比調整によりロータリーソレノイド９の励磁力(球飛び力)が調整設定される。
【００３５】
次に、前述したロータリー式の第１打球発射装置Ｇを装備したパチンコ機Ｐに対し、直動式の第２打球発射装置Ｈを装備したパチンコ機Ｐでは、遊技の開始にあたり、第２打球発射装置Ｈの第２操作ハンドル部Ｈ1での打球操作を行なうことにより、上球皿Ｅ内の遊技球を第２球送り装置Ｋの球送り作動に基いて１球ずつ第２発射部Ｈ3側へ送込んで発射位置Ｔに着座保持し、これに次いで第２打球作動部Ｈ2の直動式ソレノイド５０の通電駆動励磁に対して直線往復動する第２打球杆５４で遊技球を打出すと共に第２発射レール５１上を発射させて遊技盤Ｄ内に打込み、所要のパチンコゲームを展開し得る。
【００３６】
このような第２打球発射装置Ｈでは、ユニット化区分された夫々の主体部Ｈ1,Ｈ2,Ｈ3,Ｈ4が、個々の設置部分に設置されて装備されることになる。すなわち具体的な実装(設置)態様として、先ず第２操作ハンドル部Ｈ1では、下球皿Ｆにおける装着部７の保持筒７ａに対し、把持体１０の筒部を嵌挿して連結固定することにより、所定の向きにセットされる(図９参照)。なお、前述したように第２操作ハンドル部Ｈ1については、基本構成が第１操作ハンドル部Ｇ1と同一であるので部品の共通化が可能であり、第１打球発射装置Ｇと第２打球発射装置Ｈとでは同一の操作ハンドル部を用いることができる。
【００３７】
また、前記第２打球作動部Ｈ2および第２発射部Ｈ3では、１枚の第２支持盤５２単位の併合形態に構成されて取扱い得、その第２支持盤５２前面に第２発射レール５１を装備セットすると共に収容箱部５３に直動式ソレノイド５０を装備セットしたまま、前枠Ｂの遊技補助盤６前面の設置部に、該第２支持盤５２をピンと孔２７とを利用して位置決めセットして直動式ソレノイド５０を前記逃げ凹座５５内に収容したもとで、複数のビス２８により固定される。これにより、直動式ソレノイド５０の第２打球杆５４と第２発射レール５１とを、互いの設定角に保持したまま着脱可能に設置できる(図７参照)。この場合に、第２支持盤５２の遊技補助盤６への固定は、前記第１支持盤２６の固定に利用された共通の孔２７,ビス孔２９および別途形成された孔２７,ビス孔２９が使用される。
【００３８】
一方前記第２駆動制御部Ｈ4では、前記第２保持盤６０裏側に第２ケース６１と第２保持台６２とを組付けた状態で取扱い得、第２保持盤６０を前枠Ｂの設置盤５裏側の所定部分に整合して裏側からビス固定することにより、第２回路基板６３を内蔵した第２ケース６１全体が着脱可能に保持される(図８参照)。そして主体部Ｈ1,Ｈ2,Ｈ4相互において、第２回路基板６３の各接続具に、電源(ＡＣ２４Ｖ)、スイッチ１４およびタッチ感知環１５、可変低抗器１３、直動式ソレノイド５０、そして第２球送り用のソレノイド７０を夫々接続し、このもとで電源投入状態(通電状態)に保持される。なお、前述したように第２保持盤６０については、形状・サイズ等が第１保持盤１９と同一であるので部品の共通化が可能であり、また設置盤５の設置部についても共用し得る。
【００３９】
そして、前述のように装備された第２打球発射装置Ｈでは、第２操作ハンドル部Ｈ1での打球操作による入力条件を受けた第２駆動制御部Ｈ4のパルス制御に基いて、球送り作動にタイミングを合わせた打球作動が行なわれる。すなわち、タッチ感知環１５の検出条件とスイッチ１４の検出条件そして操作レバー１２の操作量に応じた可変低抗器１３のボリューム調整条件が第２回路基板６３の各部に入力されるもとで、パルス出力部からタイミングを合わせて出力される第１,第２のパルスにより、第２球送り用のソレノイド７０と直動式ソレノイド５０が、互いに１球分単位で設定タイミングに合わせて駆動励磁される。この結果、１球毎の遊技球が第２発射レール５１の発射部位Ｔに送込まれて着座し、第２打球杆５４の直線作動により同球が打出されて遊技盤Ｄ内に打込まれる。但し、第２駆動制御部Ｈ4でのパルス出力制御については、球送り用のパルスと打球用のパルスを合わせて１球単位毎の基本サイクルとして設定されており、このパルス設定に基いて１球毎の球送り,打球作動が確動安定化されている。なお操作レバー１２の操作保持において、スイッチ１４を操作片１８を介してＯＮ,ＯＦＦ条件に切換えることにより、遊技球を単発的に打出すことができる。
【００４１】
すなわち、実施例のパチンコ機Ｐでは、ロータリー式の第１打球発射装置Ｇと直動式の第２打球発射装置Ｈとを装備可能に前枠Ｂを構成したので、両形態の打球発射装置に共通の前枠を用いることができる。従って、前枠の製造コストを低廉に抑えることができると共に、前枠の保管管理を簡素化し得る。また、第１打球発射装置Ｇおよび第２打球発射装置Ｈの主体部Ｇ1,Ｇ4の主要構成部品を共通化することが可能であり、部品点数を低減することができる。
【００４２】
【変更例】
本発明の対象とするパチンコ機としては、前述した実施例だけに制限されず、適宜変更した他例も好適に推奨される。例えば、ロータリー式の打球発射装置と直動式の打球発射装置とでは、その打球作動部での電圧負荷に差があり、実施例では回路基板を対応するものと交換して対応したが、電圧負荷の高い側に合うよう予め設定した回路基板を用いれば、ロータリー式および直動式の回路基板を共通化することが可能である。また球送り装置に関しても、発射レールでの発射位置を変えることで、ロータリー式および直動式に共通のものを使用することができる。更に、実施例ではロータリー式の打球発射装置と直動式の打球発射装置とをパチンコ機に装備した場合で説明したが、当該パチンコ機には、打球作動部の駆動モータの回転に対して別位置に支持された打球杆が往復回動されて遊技球を打出すモータ駆動式の打球発射装置も、前枠の設計変更を行なうことなく装備可能である。
【００４３】
【発明の効果】
以上に説明した如く、本発明に係るパチンコ機によれば、形態の異なる打球作動部を、形状,サイズ等を変更することなく共通的に使用し得る前枠に装備可能に構成したことで、前枠の共通化を図り、パチンコ機の製作コストを低減することができる。また打球作動部の種別に応じた異なる形状・サイズの前枠を種別毎に保管管理する手間が省け、保管が容易となる利点も有する。
【図面の簡単な説明】
【図１】本実施例のパチンコ機を概略で示す正面図である。
【図２】本実施例のパチンコ機を概略で示す背面図である。
【図３】第１打球発射装置を装備した前枠の主要部を示す正面図である。
【図４】第１打球発射装置を装備した前枠の主要部を示す背面図である。
【図５】第１打球発射装置を装備した前枠および下球皿を示す要部平断面図である。
【図６】駆動制御部のケースと保持台とを分離して略示する正面図である。
【図７】第２打球発射装置を装備した前枠の主要部を示す正面図である。
【図８】第２打球発射装置を装備した前枠の主要部を示す背面図である。
【図９】第２打球発射装置を装備した前枠および下球皿を示す要部平断面図である。
【図１０】第１球送り装置の背面図である。
【図１１】第１球送り装置の正面図である。
【図１２】第２球送り装置の背面図である。
【図１３】第２球送り装置の正面図である。
【図１４】駆動制御部でのパルス制御例を示すグラフ図である。
【符号の説明】
６  遊技補助盤
５  設置盤
８  第１発射レール
９  ロータリーソレノイド
９ａ  回動軸
１３  可変抵抗器(操作入力手段)
１４  スイッチ(操作入力手段)
１５  タッチ感知環(操作入力手段)
１９  第１保持盤
２０  第１打球杆
２１  ビス
２２  セット口
２５  第１保持台
２６  第１支持盤
２７  孔
２８  ビス
２９  ビス孔
３２  第１ケース
３３  第１回路基板
５０  直動式ソレノイド
５１  第２発射レール
５２  第２支持盤
５４  第２打球杆
５５  逃し凹座
６０  第２保持盤
６１  第２ケース
６２  第２保持台
６３  第２回路基板
６４  送通路
６５  第１ケース体
６６  第１球送りソレノイド
６７  第１球送り体
７３  通路
６９  第２ケース体
７０  第２球送りソレノイド
７２  第２球送り体
７４  球受け口
７５  球送り口
Ａ  外枠
Ｂ  前枠
Ｃ  窓枠
Ｄ  遊技盤
Ｅ  上球皿
Ｆ  下球皿
Ｇ  第１打球発射装置
Ｇ1  第１操作ハンドル部
Ｇ2  第１打球作動部
Ｇ4  第１駆動制御部
Ｈ2  第２打球作動部
Ｊ  第１球送り装置
Ｋ  第２球送り装置
Ｔ  発射位置
【図１】
0004193011.tif 000002
【図２】
0004193011.tif 000003
【図３】
0004193011.tif 000004
【図４】
0004193011.tif 000005
【図５】
0004193011.tif 000006
【図６】
0004193011.tif 000007
【図７】
0004193011.tif 000008
【図８】
0004193011.tif 000009
【図９】
0004193011.tif 000010
【図１０】
0004193011.tif 000011
【図１１】
0004193011.tif 000012
【図１２】
0004193011.tif 000013
【図１３】
0004193011.tif 000014
【図１４】
0004193011.tif 000015